(57)【要約】【課題】  流体の気液分離状態の均一化を図ることができる分流器を提供することである。【解決手段】  分流器２００は、入口側配管１と出口側配管１１，１２，１３との間に環状路５０を備えている。この構成によれば、入口側配管１から環状路５０へ流入した流体は、環状路５０内において循環する。したがって、環状路５０内で流体の気液分離状態が均一化される。その結果、環状路５０から複数の出口側配管１１，１２，１３へ流出される流体の気液分離状態がほぼ同一になる。【選択図】        図１
2006317098.tif 000002
【特許請求の範囲】
【請求項１】
入口側配管と、
前記入口側配管に接続された環状路と、
前記環状路に接続された複数の出口側配管とを備えた、分流器。
【請求項２】
前記環状路には逆止弁が設けられた、請求項１に記載の分流器。
【請求項３】
前記環状路は、その一部に他の部分よりも流路断面が小さい部分を有する、請求項１に記載の分流器。
【請求項４】
前記環状路は、ほぼ円形であり、
前記入口側配管と前記複数の出口側配管とが前記円周上に均等に配置された、請求項１に記載の分流器。
【請求項５】
前記入口側配管と前記環状路とは三方継手によって接続された、請求項１に記載の分流器。
【請求項６】
前記入口側配管と前記環状路とが分岐継手によって接続された、請求項１に記載の分流器。
【発明の詳細な説明】
【技術分野】
【０００１】
本発明は、入口側配管から複数の出口側配管へ流体を流す分流器に関するものである。
【背景技術】
【０００２】
従来から、入口側配管から流入した流体が複数の出口側配管から流出される分流器が用いられている。分流器は、たとえば、１つの室外熱交換器から流れ込む流体を複数の室内熱交換器に分配するマルチタイプエアコンにおいて用いられている。分流器においては、図１０に示すように、入口側配管１に接続された流体溜り部５００を経て仕切弁１１１、１１２、１１３のそれぞれを介して出口側配管１１、１２、１３に冷媒が流れ込んでいる。
【特許文献１】実公昭５８−１０９４２号
【特許文献２】実公昭５９−１８２７７号
【特許文献３】実開昭６３−２２５６８号公報
【発明の開示】
【発明が解決しようとする課題】
【０００３】
上記従来の分流器においては、液溜り部５０は、入口側配管１よりは径が大きいが、入口側配管１に連続して接続された一直線状に延びる円筒状部である。したがって、液溜り部５０内において発生する偏流によって流体の気液分離状態に偏りが生じ、複数の出口側配管１１、１２、１３のいずれかへ流れ込む流体には、気体が多く混ざっているという不具合が生じる場合もある。
【０００４】
本発明は、上述の問題に鑑みなされたものであり、その目的は、流体の気液分離状態の均一化が図られた分流器を提供することである。
【課題を解決するための手段】
【０００５】
本発明の分流器は、入口側配管と、入口側配管に接続された環状路と、環状路に接続された複数の出口側配管とを備えている。これによれば、複数の出口側配管のそれぞれに流れ込む流体の気液分離状態を均一化させることができる。
【０００６】
また、環状路に逆止弁が設けられていれば、環状路内での流体の流れが安定するため、複数の出口側配管のそれぞれに流れ込む流体の気液分離状態をより均一化させることができる。
【０００７】
また、環状路がその一部に他の部分よりも流路断面が小さい部分を有すれば、その部分での流体の流速が大きくなるため、流体の均一化がより確実に図られる。
【０００８】
また、環状路がほぼ円形であり、入口側配管と複数の出口側配管とが円周上に均等に配置されていてもよい。
【０００９】
また、入口側配管と環状路とは三方継手によって接続されていれば、環状路へ流れ込む流体の流れが一方向に固定され易いため、複数の出口側配管のそれぞれに流れ込む流体の気液分離状態をより均一化させることができる。また、入口側配管と環状路とは分岐継手によって接続されていてもよい。
【発明を実施するための最良の形態】
【００１０】
以下、図を参照しながら、本発明の実施の形態の分流器を説明する。
実施の形態の分流器２００は、三方継手１０と、三方継手１０の３つの接続部のうちの一つに接続された入口側配管１と、両端が三方継手１０の他の２つの接続部に接続された環状路５０と、環状路５０に仕切弁１１１、１１２、１１３を介して接続された出口側配管１１、１２、１３とを備えている。
【００１１】
上記の分流器２００には、入口側配管１内を流れている流体が流入する。環状路５０内では、流体が循環する。このとき、流体は攪拌されるため、たとえば、流体が空気調和機に使用されるフロンのような冷媒であれば、冷媒の気液分離状態が均一化される。したがって、出口側配管１１、１２、１３を流れる冷媒の気液分離状態がほぼ同一になる。その結果、前述の分流器２００が、複数の室内熱交換器と１つの室外熱交換器とが分流器を介して接続されているような、いわゆるマルチタイプエアコンに用いられる場合には、複数の室内熱交換器を流れる冷媒の気液分離状態がほぼ同一になる。また、通常のセパレートタイプエアコンにおいて、室内機（室内熱交換器を含む）内で冷媒を複数のパスに分流させる場合に前述の分流器を用いても、同様に、複数のパスにおける冷媒の気液分離状態をほぼ同一にすることができる。したがって、複数の室内熱交換器の冷房能力をほぼ同一にすることができる。また、入口側配管１から環状路５０内へ大きな流速で流体が流れ込んでも、環状路５０から出口側配管１１、１２、１３へ流れ出す流体の速度はそれほど大きくない。つまり、流体速度が環状路５０内で低減される。流体速度が分流器の分配性能へ与える悪影響を低減することが可能になる。
【００１２】
また、図１に示すように、環状路５０には、逆止弁６０が設けられている。そのため、環状路５０内の流体は常に一方向において循環する。したがって、環状路５０内での流体の逆流に起因する淀み部の発生がないため、流体の気液分離状態の均一性がより向上する。但し、図２に示す環状路５０に逆止弁が設けられていない分流器２００であっても、入口側配管１から環状路５０に流れ込む流体の経路が一直線状でれば、環状路５０内を流体がスムーズに循環し易いため、図１に示す分流器２００と同様の効果を得ることが可能となる。したがって、環状路５０と入口側配管１との接続には、図１に示すようなＴ型の三方継手（いわゆるチーズ）１０が用いられることが望ましい。
【００１３】
また、図３に示すように、分流器２００は、その一部に他の部分より管径が小さな部分を含んでいてもよい。たとえば、管径が相対的に大きな部分５０ａと管径が相対的に小さな部分５０ｃとを備えていてもよい。管径が大きな部分５０ａと管径が小さな部分５０ｃとは、円錐状の接続部５０ｂおよび５０ｄによって接続されている。このように、環状路１０において管径が相対的に小さな部分があれば、管径が小さな部分において流体の速度が大きくなるため、循環路５０内での流体の循環がより一層スムーズに行なわれる。その結果、流体の気液分離特性がより一層向上する。
【００１４】
また、図４に示すように、環状路５０は、平面的に見てほぼ円形をしており、その円形の環状路５０に、入口側配管１、出口側配管１１、１２、１３が互いに均等な間隔を隔てて配置されていてもよい。また、図５に示すように、入口側配管１と環状路５０とが分岐継手（Ｙ型継手）２０によって接続されていてもよい。
【００１５】
さらに、図６および図７に示すように、入口側配管１と出口側配管１１、１２、１３とが互いに垂直な方向に延びる分流器において、環状路５０が用いられても、前述の効果と同様の効果得ることができる。また、図８および図９に示すように、入口側配管１と出口側配管１１、１２、１３とが互いに平行に延びるような分流器において、環状路５０が用いられても、前述の効果と同様の効果得ることができる。
【００１６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００１７】
【図１】実施の形態の第１の分流器の平面図である。
【図２】実施の形態の第２の分流器の平面図である。
【図３】実施の形態の第３の分流器の平面図である。
【図４】実施の形態の第４の分流器の平面図である。
【図５】実施の形態の第５の分流器の平面図である。
【図６】実施の形態の第６の分流器の斜視図である。
【図７】実施の形態の第６の分流器の側面図である。
【図８】実施の形態の第７の分流器の斜視図である。
【図９】実施の形態の第７の分流器の側面図である。
【図１０】従来の分流器を示す図である。
【符号の説明】
【００１８】
１  入口側配管、１０  三方継手、２０  分岐継手、５０  環状路、１１，１２，１３  出口側配管、１１１，１１２，１１３  仕切弁、２００  分流器。
【図１】
2006317098.tif 000003
【図２】
2006317098.tif 000004
【図３】
2006317098.tif 000005
【図４】
2006317098.tif 000006
【図５】
2006317098.tif 000007
【図６】
2006317098.tif 000008
【図７】
2006317098.tif 000009
【図８】
2006317098.tif 000010
【図９】
2006317098.tif 000011
【図１０】
2006317098.tif 000012